(57)【要約】【課題】例えば住宅やオフィス等の屋内空間を仕切って所望の大きさ形状の部屋を形成する場合などに用いる間仕切りパネルの取付構造に係り、遮蔽効果、特に遮音もしくは防音効果の優れた間仕切りパネルの取付構造を提供する。【解決手段】間仕切りパネルを構成するパネル本体１を、天井ランナー２と床ランナー６との間に収容配置し、上記パネル本体１の下部に設けた昇降手段４によって上記パネル本体１を上昇させて該パネル本体を上記天井ランナー２と床ランナー６との間に係合保持させるようにした間仕切りパネルの取付構造において、上記パネル本体１と床ランナー６との間に、その両者に凹凸嵌合する略角筒状のスライドベース３を設け、そのスライドベース３内に上記パネル本体１を上下動させる昇降手段４を設けたことを特徴とする。【選択図】  図２
2006090010.tif 000002
【特許請求の範囲】
【請求項１】
間仕切りパネルを構成するパネル本体を、天井ランナーと床ランナーとの間に収容配置し、上記パネル本体の下部に設けた昇降手段によって上記パネル本体を上昇させて該パネル本体を上記天井ランナーと床ランナーとの間に係合保持させるようにした間仕切りパネルの取付構造において、上記パネル本体と床ランナーとの間に、その両者に凹凸嵌合する略角筒状のスライドベースを設け、そのスライドベース内に上記パネル本体を上下動させる昇降手段を設けたことを特徴とする間仕切りパネルの取付構造。
【請求項２】
前記パネル本体を上下動させる昇降手段として前記スライドベース内にねじ杆を回動可能に設け、そのねじ杆に螺合する雌ねじ部材を前記パネル本体の下部に設けた請求項１に記載の間仕切りパネルの取付構造。
【請求項３】
前記ねじ杆には、該ねじ杆を回動するための回動操作用ディスクが一体的に設けられ、そのディスクの一部が前記スライドベースに形成した孔から該スライドベースの側方に突出して配置されてなる請求項２に記載の間仕切りパネルの取付構造。
【発明の詳細な説明】
【技術分野】
【０００１】
本発明は、例えば住宅やオフィス等の屋内空間を仕切って所望の大きさ形状の部屋を形成する場合などに用いる間仕切りパネルの取付構造に関する。
【背景技術】
【０００２】
従来、例えば住宅やオフィス等の屋内空間を間仕切りパネルで仕切って所望の大きさ形状の部屋を形成することは知られている。また、そのための間仕切りパネルの取付構造として、例えば下記特許文献１，２のようにパネル本体の下部に該パネル本体を上下動させる昇降手段を設け、その昇降手段によって間仕切りパネルの上下部を、それぞれ特許文献１のように上下のレール等のランナーを介して天井や床面に圧接固定したり、あるいは特許文献２のように天井や床面に固定したレール等の上下のランナーに間仕切りパネルの上下部を係合保持させることが提案されている。
【０００３】
ところが、上記のような間仕切りパネルの上下部、特に下部には、上記パネル本体を上下動させる昇降手段として、例えば特許文献１のようなスライド棒や、特許文献２のようなアジャスタボルト等の棒状体を用いるのが一般的であり、上記パネル本体と床面との間には上記の棒状体が外部に露出して外観体裁を損ねたり、上記棒状体の周囲のパネル本体と床面との間には、大きな隙間や開口が生じ、遮音性や断熱性等の遮蔽効果が大幅に低下する等の不具合があった。そこで、上記パネル本体下部の両側面に幅木を設けることによって上記パネル本体と床面との間の隙間や開口部を塞ぐようにしているが、そのような幅木を設けるだけでは必ずしも充分な遮蔽効果、特に遮音もしくは防音効果が得られない等の問題があった。
【０００４】
【特許文献１】特開平１０−２６６４２６号公報
【特許文献２】特許第２８４７４９２号公報
【発明の開示】
【発明が解決しようとする課題】
【０００５】
本発明は上記の問題点に鑑みて提案されたもので、遮蔽効果、特に遮音もしくは防音効果の優れた間仕切りパネルの取付構造を提供することを目的とする。
【課題を解決するための手段】
【０００６】
上記の目的を達成するために本発明による間仕切りパネルの取付構造は、以下の構成としたものである。すなわち、間仕切りパネルを構成するパネル本体を、天井ランナーと床ランナーとの間に収容配置し、上記パネル本体の下部に設けた昇降手段によって上記パネル本体を上昇させて該パネル本体を上記天井ランナーと床ランナーとの間に係合保持させるようにした間仕切りパネルの取付構造において、上記パネル本体と床ランナーとの間に、その両者に凹凸嵌合する略角筒状のスライドベースを設け、そのスライドベース内に上記パネル本体を上下動させる昇降手段を設けたことを特徴とする。
【発明の効果】
【０００７】
上記のようにパネル本体と床ランナーとの間に、その両者に凹凸嵌合する略角筒状のスライドベースを設け、そのスライドベース内に上記パネル本体を上下動させる昇降手段を設けたことによって、前記従来のように昇降手段としてのスライド棒やボルト等の棒状体がパネル本体と床ランナーとの間に露出することなく、上記パネル本体と床ランナーとの間の隙間が略角筒状のスライドベースで確実に閉塞することができる。その結果、パネル本体と床ランナーとの間から騒音等が漏れるのを可及的に低減することが可能となり、充分な遮蔽効果を発揮することができる。
【発明を実施するための最良の形態】
【０００８】
以下、本発明を図に示す実施形態に基づいて具体的に説明する。図１（ａ）は本発明による間仕切りパネルの取付構造の一実施形態を示す側面図、同図（ｂ）はその正面図、図２（ａ）および（ｂ）はその縦断側面図および縦断正面図、図３（ａ）は一部の分解側面図、同図（ｂ）はその一部縦断正面図、同図（ｃ）は底面図である。
【０００９】
図において、１はパネル本体で、該パネル本体１は本実施形態においては、左右の縦材１１，１１と上下の横材１２，１３とによって略方形に形成した枠体１０の両面に、それぞれ面板１４と表皮材１５とを順に張設した構成である。上記枠体１０内には必要に応じて桟やハニカムもしくは吸音材等を設けることもある。
【００１０】
上記各縦材１１，１１の外面側（対向面と反対側）には、それぞれ断面コ字形の凹部１１ａが形成され、その凹部１１ａ内に図４に示すようなやとい実等の連結部材１６を挿入することによって隣り合うパネル本体１，１を連結することができる。また上側の横材１２の上面には、レール等の天井ランナー２に摺動可能に係合する断面略コ字形の凹部１２ａが形成され、下側の横材１３の下面には、スライドベース３が係合する断面コ字形の凹部１３ａが形成されている。その凹部１２ａおよび凹部１３ａは縦材１１，１１にも延長して設けられている。
【００１１】
上記天井ランナー２は本実施形態においては合成樹脂の押出成形等によって中央部下面側に突出部２ａを有するレール状に形成され、図に省略した両面粘着テープ等で固定することによって上記天井ランナー２を天井面Ｃに取付ける構成である。図中、２１はパネル本体１の上端部と天井ランナー２との間の隙間を塞ぐシール材で、本実施形態においてはゴム等の弾性体よりなる管材が用いられ、天井ランナー２の両側縁部２ｂの下面に溶着もしくは接着等によって予め固着するようにしたものであるが、上記シール材２１の材質や形状は適宜であり、また天井ランナー２と一体に形成することもできる。
【００１２】
上記スライドベース３は本実施形態においては合成樹脂の押出成形等によって角筒状に形成され、その角筒状のスライドベース３内に上記パネル本体１を上下動させる昇降手段４としてのねじ杆４０等が設けられている。そのねじ杆４０として、本実施形態においては十字穴付きのなべ小ねじを上記スライドベース３内に回転自由に設けたもので、そのなべ小ねじよりなるねじ杆４０には、それを回動するための円板状の回動操作用ディスク４１が一体的に設けられている。上記ねじ杆４０とその回動操作用ディスク４１とは、スライドベース３の長手方向複数箇所、図の場合はスライドベース３の両端部２箇所に設けられているが、図にはその一方のみを示す。
【００１３】
上記各回動操作用ディスク４１は、ねじ杆４０の頭部４０ａと、そのねじ杆４０にねじ込んだナット４２との間に挟持され、上記ディスク４１の一部は上記スライドベース３に形成した穴３ａから該スライドベース３の図１（ａ）で左右の両側方に突出するように構成されている。図中、４３は上記ねじ杆４０の頭部４０ａとディスク４１との間に介在させたワッシャで、上記ディスク４１は該ワッシャ４３を介して角筒状のスライドベース３内に形成した板面状の横桟３１上に回転自由に載置されている。
【００１４】
上記のねじ杆４０および回動操作用ディスク４１等をスライドベース３に組み付けるに当たっては、例えば図３（ａ）に示すように上記ディスク４１の中央部上面に形成した平面六角形状の凹部４１ｂ内に六角ナット４２を挿入して回り止め嵌合した状態で、上記ディスク４１とナット４２とをスライドベース３の図で左右いずれかの穴３ａからスライドベース３内に挿入して図の状態に配置し、次いで同図鎖線示のようにスライドベース３の下側からねじ杆４０をディスク４１の中心穴４１ａに挿入すると共に、上記ナット４２にねじ込んで該ナット４２とねじ杆４０の頭部４０ａとの間に上記ディスク４１とワッシャ４３とを挟んで締め付け固定すればよい。
【００１５】
上記昇降手段としてのねじ杆４０の上部には、それに螺合する雌ねじ部材５がパネル本体１内に設けられ、上記ねじ杆４０を回動することによって上記雌ねじ部材５を介してパネル本体１を上下動させる構成である。その雌ねじ部材５は、本実施形態においては下端に平面略方形のフランジ５０ａを有する筒体５０の内面に上記ねじ杆４０が螺合する雌ねじ５０ｂを形成したもので、上記筒体５０の外周面にはゴム等よりなる弾性体５１が設けられている。その弾性体５１を圧縮しながら下側の横材１３に形成した穴１３ｂに上記筒体５０を挿入嵌合すると共に、その筒体５０に一体に形成した上記の方形のフランジ５０ａを横材１３の凹部１３ａに係合させることによって回り止め係止させた構成である。
【００１６】
また前記スライドベース３は、その下端部をレール等の床ランナー６に摺動可能に係合保持させるようにしたもので、その床ランナー６は本実施形態においては押し出し成形等によって上面にスライドベース３が係合する断面コ字形の凹部６ａを有する全体略山形に形成され、図に省略した両面粘着テープ等で床面Ｆに取付ける構成である。
【００１７】
上記のように構成された本発明による間仕切りパネルの取付構造によって、例えば住宅やオフィス等の屋内空間を仕切って所望の大きさ形状の部屋を形成する場合には、その間仕切りパネルを設置すべき位置の天井面Ｃに天井ランナー２、床面Ｆに床ランナー６をそれぞれ配設し、図に省略した両面粘着テープ等で固定する。
【００１８】
次いで、上記の天井ランナー２と床ランナー６との間に所望枚数のパネル本体１を建て込んでいくもので、その際、各パネル本体１の下側の横材１３に形成した凹部１３ａ内にはスライドベース３を、また上記横材１３に形成した穴１３ｂ内には雌ねじ部材５をそれぞれ収容配置し、そのスライドベース３内に設けたねじ杆４０の上端部を上記雄ねじ部材５にねじ込んでおく。
【００１９】
その状態で、上記パネル本体１に設けたスライドベース３の下部を、図５（ａ）に示すように床ランナー６の凹部６ａに係合し、上記パネル本体１の上部を天井ランナー２の下側に位置させた状態で前記のねじ杆４０を回動してパネル本体１を上昇させる。本実施形態においてはスライドベース３の両側方に突出する回動操作用ディスク４１を指等で回動して上記ねじ杆４０が雌ねじ部材５にねじ込まれる方向と反対方向に回動すればよく、それによって雌ねじ部材５がスライドベース３から離れる方向すなわち上方に移動し、それに伴ってパネル本体１も上昇する。
【００２０】
その結果、上記パネル本体１の上側の横材１２に形成した凹部１２ａが天井ランナー２の突出部２ａに係合すると共に、パネル本体１の上端部がシール材２１を介して天井ランナー２の両側縁部２ｂに圧接する。それによって上記天井ランナー２と床ランナー６との間にパネル本体１を簡単・確実に配置固定できるもので、必要に応じて他のパネル本体１も同様に配置固定すると共に、隣り合うパネル本体１・１を前記図４に示すような連結部材１６で連結して行けば容易に間仕切り壁等を形成することができる。なお、その間仕切り壁等に平面Ｌ字状の屈曲部（コーナー部）を形成する場合には、その角部にコーナー用柱を配置して隣接するパネル本体１と前記やとい実等の連結部材１６で連結する、あるいは上記コーナー部に横断Ｌ字形のコーナー用パネル等を配置してもよい。
【００２１】
上記のように本発明においては、パネル本体１と床ランナー６に形成した凹部１３ａ、６ａに嵌合する略角筒状のスライドベース３内に上記パネル本体１を上下動させる昇降手段４としてねじ杆４０を設けたから、その昇降手段４としてのねじ杆４０が外部に露出して外観体裁を損ねたり、上記パネル本体１と床ランナー６との間に大きな隙間や空間が生じて遮蔽効果が低下するのを防止することが可能となり、遮音性や断熱性等において優れた遮蔽効果を発揮することができるものである。
【００２２】
なお、上記パネル本体１の下部の片側もしくは両側には、必要に応じて幅木を設置してもよく、図６はその一例を示すもので、図示例の幅木７は幅木本体７０とそれを覆うカバー７１とよりなる。それらはそれぞれ合成樹脂の押し出し成形等によって各々別々に形成され、幅木本体７０を図に省略したビスや両面粘着テープ等でパネル本体１の側面に取付けた後に、カバー７１を被せて、該カバー７１の一部が幅木本体７０に係合して保持されるようにしたもので、図の場合は幅木本体７０の上下両端部に形成した屈曲部７０ａに、カバー７１の上下両端部に形成した折り返し部７１ａが係合する構成である。上記のような幅木は必要に応じて上記パネル本体１の上部にも設けることができる。
【００２３】
また前記実施形態においては、パネル本体１と床ランナー６とに凹部１３ａ、６ａを形成してその各凹部にスライドベース３の上下の端部を嵌合するようにしたが、スライドベース３の上下部に凹部を形成して、その各凹部にそれそれパネル本体１と床ランナー６の一部もしくはそれらに形成した凸部等が嵌合するようにしてもよく、上記パネル本体１および床ランナー６と、スライドベース３とは少なくともそれらの一部が互いに凹凸嵌合するように構成すればよい。
【００２４】
また前記実施形態は、昇降手段４として十字穴付きのなべ小ねじよりなるねじ杆４０を用い、そのねじ杆４０の頭部４０ａとの間にディスク４１を挟んで固定するためのナット４２を、上記ディスク４１に形成した凹部４１ｂ内に回り止め嵌合するようにしたが、そのナット４２はディスク４１と一体に形成してもよく、あるいはナット４２を用いる代わりに上記ねじ杆４０が挿通するディスク４１の中心穴を該ねじ杆４０が螺合する雌ねじ穴としてもよい。
【００２５】
さらに上記のねじ杆４０として十字穴付きのなべ小ねじの代わりに他のねじやボルト等を用いてもよく、また昇降手段４としては上記ねじ杆４０等のねじ部品に限らず、スライド棒や昇降ロッド等でもよく、パネル本体１を上下動（昇降）できるものであれば各種の構成のものが適用可能である。また前記ディスク４１の周縁部もしくは上下面等にドライバ等の工具が係合する凹部等を設ければ、それらの工具で上記ディスクおよびねじ杆等を容易に回動することが可能となる。
【産業上の利用可能性】
【００２６】
以上のように、本発明による間仕切りパネルの取付構造は、パネル本体１と床ランナー６との間に、その両者に凹凸嵌合する略角筒状のスライドベース３を設け、そのスライドベース３内に上記パネル本体１を上下動させる昇降手段４を設けたことによって、上記パネル本体１と床ランナー６との間に昇降手段４が露出して外観体裁を損ねたり、上記パネル本体１と床ランナー６との間に大きな隙間や空間が生じて遮蔽効果が低下するのを防止できるもので、この種の間仕切りパネルの取付構造の設計の自由度や産業上の利用可能性を増大させることができる。
【図面の簡単な説明】
【００２７】
【図１】（ａ）は本発明による間仕切りパネルの取付構造の一実施形態を示す側面図、（ｂ）はその正面図。
【図２】（ａ）は上記間仕切りパネルの取付構造の縦断側面図、（ｂ）はその縦断正面図。
【図３】（ａ）は上記間仕切りパネルの取付構造の一部の分解縦断側面図、（ｂ）はその一部縦断正面図、（ｃ）はその底面図。
【図４】（ａ）は隣り合うパネル本体の連結方法の一例を示す連結前の一部横断平面図、（ｂ）は連結状態の同上図。
【図５】（ａ）は上記間仕切りパネルを設置する状態の縦断側面図、（ｂ）は設置後の縦断側面図。
【図６】上記間仕切りパネルの両側面に幅木を設ける例の一部の縦断側面図。
【符号の説明】
【００２８】
１  パネル本体
１０  枠体
１１  縦材
１２、１３  横材
１１ａ、１２ａ、１３ａ  凹部
２  天井ランナー
３  スライドベース
４  昇降手段
４０  ねじ杆
４１  回動操作用ディスク
４２  ナット
４３  ワッシャ
５  雌ねじ部材
５０  筒体
５１  弾性体
６  床ランナー
７  幅木
７０  幅木本体
７１  カバー
Ｃ  天井面
Ｆ  床面
【図１】
2006090010.tif 000003
【図２】
2006090010.tif 000004
【図３】
2006090010.tif 000005
【図４】
2006090010.tif 000006
【図５】
2006090010.tif 000007
【図６】
2006090010.tif 000008